(57)【要約】      （修正有）【課題】結婚披露宴等の宴席においてより一層の盛り上げ効果を有するとともに、多様な形態の結婚披露宴に対応可能な装飾具を提供する。【解決手段】装飾具１は装飾部材５の載置台２、３、４を備えており、載置台２、３、４は皿部２ａ、３ａ、４ａと中空の本体部を備えている。装飾具１は載置台２、３、４を積み重ねてなり、皿部２ａ、３ａ、４ａには、飾花５ａやキャンドル５ｂ等の装飾部材５が配設される。【選択図】図５
0003163278.tif 000002
【実用新案登録請求の範囲】
【請求項１】
装飾部材の載置台を備えた装飾具であって、前記載置台は皿部と、該皿部から立設する中空の本体部とを備え、前記載置台を複数個積み重ねてなることを特徴とする装飾具。
【請求項２】
前記複数個の載置台は、それぞれ異なる大きさに形成されたことを特徴とする請求項１記載の装飾具。
【請求項３】
前記皿部の周囲には縁部が立設されたことを特徴とする請求項１又は２に記載の装飾具。
【請求項４】
前記本体部の外周面には模様が形成されたことを特徴とする請求項１、２又は３に記載の装飾具。
【請求項５】
前記本体部の外周面には、発光部が配設されていることを特徴とする請求項１、２又は３に記載の装飾具
【請求項６】
前記複数の載置台は入れ子構造とされたことを特徴とする請求項１、２、３、４又は５に記載の装飾具。
【請求項７】
前記載置台のうち最上部載置台を除く他の載置台の皿部または本体部には発光体の導線部の配線を行うための孔が設けられたことを特徴とする請求項５又は６に記載の装飾具。
【考案の詳細な説明】
【技術分野】
【０００１】
本考案は装飾具に関し、更に詳細には結婚披露宴等の宴席を盛り上げるために使用する装飾具に係わる。
【背景技術】
【０００２】
従来、結婚披露宴では、それを盛り上げるためのディスプレイの一つとしてウェディングケーキが使用されている。
ところで、上記従来のウェディングケーキに代えて、更に一層宴席の盛り上げ効果を高めるために、特許文献１に記載の装飾具が提案されている。
【先行技術文献】
【特許文献】
【０００３】
【特許文献１】実用新案登録第３０３７４０７号公報
【０００４】
上記特許文献１に記載の装飾具は、図１８に示すように、基体１０１から所定間隔で、かつ所定高さに複数本の支持体１０２を立設させ、この支持体１０２の上部に菓子ｂの載置台１０３を取り付けたものであり、ウェディングケーキ等の可食な菓子ｂを載置しておくものである。この装飾具は、載置された菓子ｂが立体的且つ幅広に構成されるため、装飾効果や祝典の雰囲気を高揚させるものである。
【０００５】
しかし、上記特許文献１に記載の装飾具では、基体１０１と支持体１０２と、この支持体１０２の上部に取り付けた菓子の載置台１０３とを備えた構成であるため、保管をする際に広い空間を必要としていた。このため、十分な保管場所を確保できない式場では使用するのが難しいという問題があった。また、移動や設置に手間がかかるため、ガーデンウェディング等の様々な形態の結婚披露宴に対応することが困難であった。
【０００６】
また、結婚披露宴では、より幻想的な雰囲気を醸成するために光の演出が行われているが、特許文献１に記載の装飾具では、配線等を行う構成を備えていないため、これらの演出を行うことが困難であり、結婚披露宴の場合において重要な荘厳且つ幽玄な雰囲気を醸し出す上では今一歩の感があった。
【考案の概要】
【考案が解決しようとする課題】
【０００７】
本考案は上記の点に鑑みなされたものであって、結婚披露宴等の宴席においてより一層の盛り上げ効果を有するとともに、多様な形態の結婚披露宴に対応可能な装飾具を提供しようとするものである。
【課題を解決するための手段】
【０００８】
而して、本考案の要旨とするところは、装飾部材の載置台を備えた装飾具であって、前記載置台は皿部と、該皿部から立設する中空の本体部とを備え、前記載置台を複数個積み重ねてなることを特徴とする装飾具にある。
【０００９】
また、上記構成において、前記複数個の載置台は、それぞれ異なる大きさに形成されていると好適である。さらに、前記皿部の周囲には縁部が立設されているとよい。
また、前記本体部の外周面には模様又は発光部が形成されているとよい。尚、本体部の外周面に発光部を形成する場合には、各発光体の発光部は導線部を介して電気的に接続される。
【００１０】
また、上記構成において、前記複数の載置台は入れ子構造とされていると好適である。
さらに、前記載置台のうち最上部載置台を除く他の載置台の皿部または本体部には発光体の導線部の配線を行うための孔が設けられた構成としてもよい。
【考案の効果】
【００１１】
本考案は上記の如き構成であり、結婚披露宴等の宴席においてより一層の盛り上げ効果を有するとともに、特に結婚披露宴において重要な荘厳且つ幽玄な雰囲気を醸し出すことができるものである。
【００１２】
また、コンパクトに収納できるため、十分な保管場所を確保できない式場でも使用可能であり、さらには持ち運びが容易であるため、レストランウェディングやガーデンウェディングなど、様々な形態の結婚披露宴に対応することが可能である。
【図面の簡単な説明】
【００１３】
【図１】本考案の実施形態に係る装飾具の正面側から看た図である。
【図２】同断面図である。
【図３】同分解斜視図である。
【図４】同斜視図である。
【図５】装飾部材を飾り付けた装飾具の正面側から看た図である。
【図６】入れ子構造を示す説明図である。
【図７】他の実施例を示す説明図である。
【図８】他の実施例を示す説明図である。
【図９】他の実施例を示す説明図である。
【図１０】他の実施例を示す分解斜視図である。
【図１１】他の実施例を示す説明図である。
【図１２】他の実施例を示す断面図である。
【図１３】他の実施例を示す説明図である。
【図１４】他の実施例を示す斜視図である。
【図１５】他の実施例を示す説明図である。
【図１６】他の実施例を示す断面図である。
【図１７】他の実施例を示す底面図である。
【図１８】特許文献１に記載の装飾具の説明図である。
【考案を実施するための形態】
【００１４】
以下、本考案を実施するための形態について、図面を参照して説明する。
【００１５】
図中、１は装飾具である。装飾具１は、図１、２に示すように、下部載置台２と、中部載置台３と、上部載置台４とから構成されており、アルミニウムで形成されている。
各載置台２、３、４には白色の塗装が施されている。
【００１６】
下部載置台２は、装飾具１の最下部に位置するものであり、図３に示すように、円形の皿部２ａと、中空円筒状の本体部２ｂとを備えて構成されている。本体部２ｂの端部２ｃは開口している。
皿部２ａと本体部２ｂは一体に成形されており、皿部２ａの周縁には縁部２ｄが立設されている。
下部載置台２は皿部２ａを上に向けて床や机上に設置されている。
【００１７】
中部載置台３は、装飾具１の真ん中に位置するものであり、円形の皿部３ａと、中空円筒状の本体部３ｂとを備えて構成されている。本体部３ｂの端部３ｃは開口している。
皿部３ａと本体部３ｂは一体に成形されており、皿部３ａの周縁には縁部３ｄが立設されている。
中部載置台３は、皿部３ａを上に向けて下部載置台２の上に設置される。
【００１８】
上部載置台４は、装飾具１の頂部に位置するものであり、円形の皿部４ａと、中空円筒状の本体部４ｂとを備えて構成されている。本体部４ｂの端部４ｃは開口している。
皿部４ａと本体部４ｂは一体に成形されており、皿部４ａの周縁には縁部４ｄが立設されている。
上部載置台４は、皿部４ａを上に向けて中部載置台３の上に設置される。
【００１９】
図４は、各載置台２、３、４を積み重ねて設置した状態を示している。各載置台２、３、４には白色の塗装が施されているので、積み重ねることによりウェディングケーキのような外観を呈する。
【００２０】
図５は、装飾部材５を飾り付けた装飾具１を示している。本実施例では、装飾部材５として、飾花５ａとキャンドル５ｂが使用されている。飾花５ａとキャンドル５ｂは、各載置台２、３、４の皿部２ａ、３ａ、４ａに載置される。皿部２ａ、３ａ、４ａには、縁部が設けられているので、装飾部材５の落下を防止することができる。
【００２１】
なお、装飾部材としては、上記の飾花５ａ及びキャンドル５ｂの他に、ぬいぐるみ、菓子、果物など、利用者の好みに応じた部材を使用することができる。また、複数のグラスを配設してシャンパンタワーとして使用することも可能である。
【００２２】
図６は、装飾具１を保管するときの状態を示したものである。装飾具１を保管するときは、まず下部載置台２の皿部２ａが下側になるようにし、中空円筒状の本体部２ｂの端部２ｃを上にして上方が開口するようにして床や机上に設置する。
【００２３】
次に、下部載置台２の中に中部載置台３を収納する。このとき、中部載置台３の皿部３ａが下側になるようにし、中空円筒状の本体部３ｂの開口を上側にする。
さらに、中部載置台３の中に上部載置台４を収納する。このとき、上部載置台４の皿部４ａが下側になるようにし、中空円筒状の本体部３ｂの開口を上側にする。
【００２４】
このように、各載置台２、３、４を入れ子構造にすることにより、装飾具１をコンパクトに収納することができる。なお、再使用する装飾部材５があれば、上部載置台４の本体部４ｂに収納することもできる。したがって、レストランウェディングのように式場自体のスペースに制限があり、十分な保管場所を確保できない場合でも、本例の装飾具１であれば使用することが可能となる。
また、ガーデンウェディングのように、屋外で結婚披露宴を行う場合にも、本例の装飾具１であれば移動が容易であり、場所を問わずにどこでも使用することが可能である。
【００２５】
図７は、装飾具１の他の実施例を示す説明図である。本例の装飾具１は、各載置台２、３、４の本体部２ｂ、３ｂ、４ｂの外周面に模様が施されている。本例では、本体部の外周面にパンチングによる網目模様が施されており、より豪華な外観を呈している。なお、模様は本例のような網目模様に限らず、波模様やハート模様、水玉模様など、他の模様であってもよい。
【００２６】
図８乃至図１３は、装飾具１のさらに他の実施例を示す説明図である。本例の装飾具１は、各載置台２、３、４に、装飾部材としてＬＥＤテープからなる発光体６が使用されている。
発光体６は発光部６ａと導線部６ｂからなり、発光部６ａには複数のＬＥＤ６ｃが配設されている。発光体６は各載置台２、３、４の本体部２ｂ、３ｂ、４ｂの外周面に巻きつけられている。
尚、発光部６ａを各載置台２、３、４の本体部２ｂ、３ｂ、４ｂの外周面に螺旋状に巻きつけることにより敷き詰めても良いし、図９に示すように、複数の発光体６を各載置台２、３、４の本体部２ｂ、３ｂ、４ｂの外周面に平行に巻きつけて敷き詰めても良い。
【００２７】
図１０に示すように、発光体６の導線部６ｂは、各載置台２、３、４に設けられた挿通孔２ｅ、３ｅ、４ｅを通して、各載置台２、３、４の内部に引き込まれている。
尚、図９に示すように、複数の発光体６を各載置台２、３、４の本体部２ｂ、３ｂ、４ｂの外周面に平行に巻きつけて敷き詰める場合には、図１１に示すように、挿通孔２ｅ、３ｅ、４ｅを、複数の発光体６と同じ数だけ設け、各発光体６の各導線部６ｂは、当該複数設けられた挿通孔２ｅ、３ｅ、４ｅをそれぞれ通して、各載置台２、３、４の内部に引き込み、図１２に示すように、各載置台２、３、４の裏側内部に設置した電極盤などを用いて一括して一本に纏めると良い。
下部載置台２の皿部２ａと中部載置台３の皿部３ａには、それぞれ孔２ｆ、３ｆが設けられている。なお本例では、孔２ｆ、３ｆは、図１３に示すように、下部載置台２と中部載置台３を重ねたときに、その位置と大きさが一致するように形成されている。
【００２８】
各載置台２、３、４の内部に引き込まれた導線部６ｂは、上記孔２ｆ、３ｆを通って下部載置台２に設けられた電源部７に接続されている。電源部７には導線部７ａによって外部より電源が供給されている。尚、上記孔２ｆ、３ｆを有することにより、発光体６を有する実施例であっても、入れ子構造とした各載置台２、３、４を収納する際に、本体部２ｂ、３ｂ、４ｂの内部に導線部６ｂもコンパクトに収納することができる。
【００２９】
上記構成により、結婚披露宴において重要な荘厳且つ幽玄な雰囲気を醸し出すことができる。また、夜間の結婚披露宴であっても、装飾具１により華やかな光の演出を実現することができる。尚、図１４に示すように、例えば、本例において、更に装飾部材５として、イチゴの形をした透明着色樹脂版５ｃを随所に配することにより、ＬＥＤの光がこれを透過して、あたかもイチゴが載っているかの如き雰囲気を醸し出すこともできる。
【００３０】
なお、本例では発光体６としてＬＥＤテープを使用した例を示したが、これに限らず、電球、ＬＥＤ、光ファイバー等、他の発光体を用いることもできる。例えば、各載置台２、３、４の皿部２ａ、３ａ、４ａに、発光体６としてホイップクリームやイチゴを模したＬＥＤ電球を配設すれば、装飾具１が光のウェディングケーキとなり、一層雰囲気を盛り上げることができる。
【００３１】
図１５乃至図１７は、装飾具１のさらに他の実施例を示す説明図である。本例の装飾具１は、各載置台２、３、４をステンレスで枠状に形成するとともに、各載置台２、３、４の中空円筒状の本体部２ｂ、３ｂ、４ｂ及び各皿部２ａ、３ａ、４ａを、上記枠状の各載置台２、３、４に沿って外周面に半透明ビニールテープ等の半透明紐状体を張り巡らせて形成している。この場合は、ＬＥＤ電球を多数接続した発光体６を、中空円筒状の各本体部２ｂ、３ｂ、４ｂの内部に配設することにより、半透明紐状体を通して、ＬＥＤ電球の光が揺らめき、幻想的な雰囲気を醸し出すことができる。また、当該ＬＥＤ電球を点滅させることにより、更に華やかな光の演出をすることができる。
【００３２】
また、本実施例の外周面に、更に装飾部材５として、ＬＥＤ電球内蔵チューブ５ｄを波状に配設してホイップクリームを現したり、イチゴ型やハート型の透明着色樹脂版５ｃを随所に配することにより、ＬＥＤ電球の光がこれを透過して、装飾具１全体として光のウェディングケーキを現し、豪華かつ華やかな雰囲気を醸し出すことができる。尚、本実施例においては、他の実施例と比して低費用で実現できるという利点もある。
【符号の説明】
【００３３】
１  装飾具
２  下部載置台
３  中部載置台
４  上部載置台
２ａ、３ａ、４ａ  皿部
２ｂ、３ｂ、４ｂ  本体部
２ｃ、３ｃ、４ｃ  端部
２ｄ、３ｄ、４ｄ  縁部
２ｅ、３ｅ、４ｅ  挿通孔
２ｆ、３ｆ  孔
５  装飾部材
６  発光体
７  電源部
【図１】
0003163278.tif 000003
【図２】
0003163278.tif 000004
【図３】
0003163278.tif 000005
【図４】
0003163278.tif 000006
【図５】
0003163278.tif 000007
【図６】
0003163278.tif 000008
【図７】
0003163278.tif 000009
【図８】
0003163278.tif 000010
【図９】
0003163278.tif 000011
【図１０】
0003163278.tif 000012
【図１１】
0003163278.tif 000013
【図１２】
0003163278.tif 000014
【図１３】
0003163278.tif 000015
【図１４】
0003163278.tif 000016
【図１５】
0003163278.tif 000017
【図１６】
0003163278.tif 000018
【図１７】
0003163278.tif 000019
【図１８】
0003163278.tif 000020
【手続補正書】
【提出日】平成22年7月30日(2010.7.30)
【手続補正１】
【補正対象書類名】実用新案登録請求の範囲
【補正対象項目名】全文
【補正方法】変更
【補正の内容】
【実用新案登録請求の範囲】
【請求項１】
装飾部材の載置台を備えた装飾具であって、前記載置台は皿部と、該皿部から立設する中空の本体部とを備え、前記載置台を複数個積み重ねてなることを特徴とする装飾具。
【請求項２】
前記複数個の載置台は、それぞれ異なる大きさに形成されたことを特徴とする請求項１記載の装飾具。
【請求項３】
前記皿部の周囲には縁部が立設されたことを特徴とする請求項１又は２に記載の装飾具。
【請求項４】
前記本体部の外周面には模様が形成されたことを特徴とする請求項１、２又は３に記載の装飾具。
【請求項５】
前記本体部の外周面には、発光部が配設されていることを特徴とする請求項１、２又は３に記載の装飾具
【請求項６】
前記複数の載置台は入れ子構造とされたことを特徴とする請求項１、２、３、４又は５に記載の装飾具。
【請求項７】
前記載置台のうち最上部載置台を除く他の載置台の皿部または本体部には発光体の導線部の配線を行うための孔が設けられたことを特徴とする請求項５又は６に記載の装飾具。
【請求項８】
ステンレスで枠状に形成した本体部及び各皿部の外周面に半透明紐状体を張り巡らせると共に、ＬＥＤ電球を多数接続した発光体を、中空円筒状の各本体部の内部に配設してなる請求項１、２、６又は７記載の装飾具。
【請求項９】
半透明紐状体を張り巡らせた各本体部の外周面にＬＥＤ電球内蔵チューブを波状に配設してなる請求項８記載の装飾具。
【請求項１０】
前記本体部の外周面に、イチゴ型やハート型の透明着色樹脂板を随所に配設してなる請求項８又は９記載の装飾具。
【手続補正２】
【補正対象書類名】明細書
【補正対象項目名】００２９
【補正方法】変更
【補正の内容】
【００２９】
上記構成により、結婚披露宴において重要な荘厳且つ幽玄な雰囲気を醸し出すことができる。また、夜間の結婚披露宴であっても、装飾具１により華やかな光の演出を実現することができる。尚、図１４に示すように、例えば、本例において、更に装飾部材５として、イチゴの形をした透明着色樹脂板５ｃを随所に配することにより、ＬＥＤの光がこれを透過して、あたかもイチゴが載っているかの如き雰囲気を醸し出すこともできる。
【手続補正３】
【補正対象書類名】明細書
【補正対象項目名】００３２
【補正方法】変更
【補正の内容】
【００３２】
また、本実施例の外周面に、更に装飾部材５として、ＬＥＤ電球内蔵チューブ５ｄを波状に配設してホイップクリームを現したり、イチゴ型やハート型の透明着色樹脂板５ｃを随所に配することにより、ＬＥＤ電球の光がこれを透過して、装飾具１全体として光のウェディングケーキを現し、豪華かつ華やかな雰囲気を醸し出すことができる。尚、本実施例においては、他の実施例に比して低費用で実現できるという利点もある。